(57)【特許請求の範囲】
【請求項１】
矩形状のガラス板を並設してなるガラス床の支持構造において、各ガラス床の四隅に穿孔部を設けてその上面側を皿孔加工し、該穿孔部の皿孔側より前記穿孔部の内面形状に沿った外形形状をもつ介装材を介して筒状の締付ボルトと、ガラス床の下面側に緩衝材を介して設けた締付ナットとを螺合させてガラス板の穿孔部を挟持し、
前記筒状の締付ボルトの内部形状が、上下の内径が大径開口部と、中間狭隘部の内径が小径の内面部分に吊下げ補助具を螺着させる雌ねじを設けた段付内面形状とし、筒状の締付ボルトの上部側の開口部より挿入した着脱可能な固定ボルトを、ワッシャおよび緩衝材を介して中間狭隘部内に遊挿し、前記下部開口部内に下方より挿入した支柱と接続した固定ナットの最上端に設けた螺孔部と螺合させて締付ボルトの中間狭隘部を挟持することによりガラス床を固定支持するようにしたことを特徴とするガラス床の支持構造。
【請求項２】
前記ガラス板が、複数枚のガラス板からなる合わせガラスであって、上部側のガラス板の貫通孔部の内径が下部側のガラス板の穿孔部の内径より小径としたことを特徴とする請求項１記載のガラス床の支持構造。
【請求項３】
前記ガラス板の穿孔部の皿孔部分と筒状の締付ボルト間に前記皿孔部の形状に合わせた介装材を設け、締付ボルトの筒状部の内側と固定ボルト間にはシール材を充填したことを特徴とする請求項１または２記載のガラス床の支持構造。
【請求項４】
請求項１乃至３のいずれかに記載の支持構造によって支持されたガラス板を取外し交換するガラス床の着脱構造において、前記筒状の締付ボルト内の狭隘部を上下より締付挟持する固定ボルトを支柱の固定ナット部から切り離し、別途用意した吊下げ補助具により、ガラス床の四隅の穿孔部を吊下げ持ち上げることによってガラス板の支柱上への着脱を可能としたことを特徴とするガラス床の着脱構造。
【請求項５】
前記吊下げ補助具は、上部側に作業者が把持可能な取っ手部と、該取っ手部から下部側に延ばしたボルト部とからなり、該ボルト部をガラス板の四隅のそれぞれの締付ボルトの筒状部の中間狭隘部と螺合させることによってガラス板を吊下げ持上げることを特徴とする請求項４に記載のガラス床の着脱構造。
【発明の詳細な説明】
【技術分野】
【０００１】
本発明は、ガラス板を床面にＤＰＧ（Ｄｏｔ  Ｐｏｉｎｔ  Ｇｌａｚｉｎｇ）工法によって支持する支持構造、およびガラス板の着脱交換時の着脱構造に関する。
【背景技術】
【０００２】
一般的に、建物の内装、外装でガラス板を用いると、ガラス板の持つ光沢により高級感、開放感、斬新感が得られるというメリットがある反面、ガラス板が脆性であり、割れやすく、その表面が平坦で滑りやすいというデメリットがあり、さらに透明であることにより、安全性、プライバシー等を考慮した場合に床パネルとして使用する場合においては、その設置場所、設置条件が限定され、このため、建物の床材としてガラス板を用いるケースは数少ないのが現状である。
【０００３】
また、ガラス板は、表面に凹凸のない平坦なものが最も一般的に使用されているが、このようなガラス板を床材として使用する場合、その表面が平坦で滑りやすく、転倒する恐れもあるため、滑りにくくする為に、ガラス板の上部表面に微小な粒状の低融点ガラス等を溶着または焼付けさせて意図的に凹凸を設ける等の滑り止め加工を施す場合がある。
【０００４】
このような滑り止め加工を施したガラス板の取替交換作業を行なう場合には、通常ガラス板のハンドリング作業で良く用いられる吸着パッドを使用することが困難である。これは、滑り止め加工を施したガラス面を吸着パッドで吸着しようとすると、滑り止め面がざらざらした粒状のため、吸着パッドがガラス表面に馴染まず、エアリークが発生し易く吸着できないためである。
【０００５】
ガラス床として使用する場合は、例えばガラス板の下部から照明光を室内に照射する、あるいは透明なガラス板を通して、階下の状態を見えるようにする等の特殊な用途の使用に限られたケースも考えられる。
【０００６】
ガラス板の支持工法としては、ガラス板の四隅に穿孔部を設けて、該穿孔部に設けた点支持金具でガラス板を支持する点支持（ＤＰＧ）工法による建物の外壁としてのガラススクリーンを形成する例として、
例えば、本出願人による先の出願である特開２００３−１７６５９１号公報に示したように、板状体の四隅部に設けた取付孔の端面に介装部材を内接させ、該取付孔の端面形状に合わせた締付部材を該取付孔に挿通し、他端側より締付ナットで締付挟持する板状体の支持構造において、前記取付孔の端面形状に合わせ、かつ蓋部を有する略円筒状の締付部材と、一端に截頭球状でかつ蓋側中心部近傍に凹部を設けた頭部を有し、他端を躯体に直接または支持金具に螺着させて支持する支持ボルトと、該締付部材の開口側先端内面側と螺合し前記頭部の球状面部に当接させて頭部を支持し支持ボルトを着脱自在とする略筒状の押えナットと、締付部材の開口側先端外周側と螺合かつ板状体を締付挟持する締付ナットと、前記凹部と蓋部間に設けた回転摺動自在な球部とからなり、該球部の中心と板状体の重心が同一垂直線上となるようにして、前記押えナットによって支持ボルトを傾動自在に支持したことを特徴とする板状体の支持構造が記載されている（特許文献１）。
【０００７】
また、特開２００４−３１６３５５号公報には、合わせガラスに構成した複数のガラス板を敷設してなるガラス床を支持するガラス床用の支持構造であって、縦横に敷設するガラス板間の格子状の目地の少なくとも交点に対応させて配する高さ調節機能を備えた支柱部材と、縦横に敷設するガラス板の少なくとも目地に沿って格子状に配する支持フレームであって、その上面両側で緩衝材を介して該目地両側のガラス板の辺部を支持するとともに、その少なくとも交点で前記支柱部材によって支持される支持フレームと、縦横に敷設するガラス板の目地中に挿入してその両側のガラス板の下支分ガラス板の辺部を各々支持する一対のガラス係止片であって、前記支持フレームの上部の係止溝にその下部を挿入して係止するガラス係止片と、該一対のガラス係止片間に挿入して、該各ガラス係止片による下支分ガラス板の支持状態及び該両ガラス係止片の前記支持フレームの係止溝に対する係止状態を固定する挿入固定片と、縦横に敷設するガラス板の目地中の上支分ガラス板間に挿入する目地材と、で構成したガラス床用の支持構造が記載されている（特許文献２）。
【０００８】
さらにまた、特開２０００−８５９１号公報には、建物外部や屋上に設置される太陽電池の上を人が歩行することが出来るようにして、限られたスペースの利用効率を向上させるものとして、平面的に敷き詰められた状態に配置された多数の太陽電池モジュールと、これら各太陽電池モジュールと屋上コンクリート床ＲＦの上に所要の高さに支持するの多数の支柱とを有する。太陽電池モジュールは、透明床板と、その裏面に並べて配置され定着された多数の太陽電池セルと、その互いの接続手段と、各太陽電池モジュール同士を配線を介して接続する電源端子部とを備える。透明床板は、人が載って歩行したり活動しても容易に変形したり破損することのない適当な厚さの強化ガラスからなる太陽電池フロアが記載されている（特許文献３）。
【特許文献１】特開２００３−１７６５９１号公報
【特許文献２】特開２００４−３１６３５５号公報
【特許文献３】特開２０００−８５９１号公報
【発明の開示】
【発明が解決しようとする課題】
【０００９】
特許文献１については、ガラス板の四隅に穿孔部を設けてガラス板を支持する外壁として用いた例であり、外壁の開口部として用いる場合には非常に有用なものであるが、該ガラス板を水平にして床材として設ける場合に、上部面側から支持金具を取り外すことが困難であり、仮に支持金具を取外しできたとしても、取外した支持金具がガラス板を支持していたものであるため、ガラス板を支持することができなくなってしまう。
【００１０】
さらに、特許文献１は透明なガラス板を支持するものであるが、支持されるガラス板の上面に滑り止め加工を施したガラス板とした場合には、滑り止め加工によってガラス板の表面に凹凸が設けられるので、ガラス板の表面を吸着パッド等の冶具によって吸着保持しようとしても吸着できず、このため、取外し取付作業は、ガラス板のエッジ部を持上げることによってガラス板を持上げざるを得ないが、エッジ部には充分な隙間がなく、またガラス板が脆性で割れやすい為、エッジ部からの着脱作業は容易ではないという問題点がある。
【００１１】
特許文献２、特許文献３についても、特許文献１と同様に、支持されるガラス板の上面に滑り止め加工を施したガラス板とした場合には、滑り止め加工によってガラス板の表面に凹凸が設けられているため、ガラス板を吸着パッド等の冶具によって吸着保持しようとしても吸着できず、このため、取外し取付作業は、ガラス板のエッジ部を持上げることによってガラス板を持上げざるを得ないが、エッジ部には充分な隙間がなく、また道具を使用してエッジ部の僅かな隙間を広げて持上げようとするとガラス板が脆性のため割れやすく、面積が大きなガラス板になるにしたがって、ガラス板の自重も増し、エッジ部からの着脱作業は容易ではないという問題点がある。
【課題を解決するための手段】
【００１２】
本発明は、上記問題点の解決を図る、すなわち、上部側の表面に滑り止め加工を施したガラス板等の吸着パッドでは吸着することができないガラス板をガラス床として用いた場合に、ガラス板間の目地より無理にこじ開けて持上げることなく、スムーズにガラス板を上面側から着脱できることを目的とする。
【００１３】
すなわち、本発明は、矩形状のガラス板を並設してなるガラス床の支持構造において、各ガラス床の四隅に穿孔部を設けてその上面側を皿孔加工し、該穿孔部の皿孔側より前記穿孔部の内面形状に沿った外形形状をもつ介装材を介して筒状の締付ボルトと、ガラス床の下面側に緩衝材を介して設けた締付ナットとを螺合させてガラス板の穿孔部を挟持し、前記筒状の締付ボルトの内部形状が、上下の内径が大径開口部と、中間狭隘部の内径が小径の内面部分に吊下げ補助具を螺着させる雌ねじを設けた段付内面形状とし、筒状の締付ボルトの上部側の開口部より挿入した着脱可能な固定ボルトを、ワッシャおよび緩衝材を介して中間狭隘部内に遊挿し、前記下部開口部内に下方より挿入した支柱と接続した固定ナットの最上端に設けた螺孔部と螺合させて締付ボルトの中間狭隘部を挟持することによりガラス床を固定支持するようにしたことを特徴とするガラス床の支持構造である。
【００１４】
あるいは、本発明は、前記ガラス板が、複数枚のガラス板からなる合わせガラスであって、上部側のガラス板の貫通孔部の内径が下部側のガラス板の穿孔部の内径より小径としたことを特徴とする上述のガラス床の支持構造である。
【００１５】
あるいはまた、本発明は、前記ガラス板の穿孔部の皿孔部分と筒状の締付ボルト間に前記皿孔部の形状に合わせた介装材を設け、締付ボルトの筒状部の内側と固定ボルト間にはシール材を充填したことを特徴とする上述のガラス床の支持構造である。
【００１６】
あるいはまた、本発明は、上述のいずれかに記載の支持構造によって支持されたガラス板を取外し交換するガラス床の着脱構造において、前記筒状の締付ボルト内の狭隘部を上下より締付挟持する固定ボルトを支柱の固定ナット部から切り離し、別途用意した吊下げ補助具により、ガラス床の四隅の穿孔部を吊下げ持ち上げることによってガラス板の支柱上への着脱を可能としたことを特徴とするガラス床の着脱構造である。
【００１７】
あるいはまた、本発明は、前記吊下げ補助具は、上部側に作業者が把持可能な取っ手部と、該取っ手部から下部側に延ばしたボルト部とからなり、該ボルト部をガラス板の四隅のそれぞれの締付ボルトの筒状部の中間狭隘部と螺合させることによってガラス板を吊下げ持上げることを特徴とする上述のガラス床の着脱構造。
【発明の効果】
【００１８】
上部側の表面に滑り止め加工を施したことによって、吸着パッドを用いても吸着することができないガラス板をガラス床として用いた場合に、ガラス板間の目地より無理にこじ開けて持上げることなく、簡易な着脱冶具の装着によりスムーズかつ容易に、さらには安全にガラス板を上面側から着脱可能となった。
【発明を実施するための最良の形態】
【００１９】
本発明は、複数枚の矩形状のガラス板１、１、・・を、図４に示すように一列に、あるいは図６に示すように、縦横に碁盤の目のように並設してなるガラス床の支持構造である。
【００２０】
図１に示したように各ガラス板１、１、・・の四隅に上面側を皿孔加工した穿孔部２を設けて、該穿孔部２の皿孔部２ａ側より前記穿孔部２の内面形状に沿って略一致させた形状の外形形状をもつ介装材３を介して筒状で皿ネジ状の締付ボルト６を挿入し、ガラス板１の穿孔部２の下面側に緩衝材４を介して設けた締付ナット７とを螺合させた。
【００２１】
前記締付ボルト６は、その内部形状の上部開口部６ａと下部開口部６ｃの各内径を中間部分の内径より大径とし、中間部分はその内面部分を螺刻した狭隘部６ｂとした段付内面形状とした。
【００２２】
また、図１、図５に示すように、ガラス床１の四隅の穿孔部２の下方位置近傍には、構造躯体またはコンクリート床等より立設する支柱２０を設け、該支柱２０の最上端部に連結プレート１６を固設し、該連結プレート１６に設けた穿孔部に挿通したボルト１５と、穿孔部の両面に設けたワッシャ１７、１７を介して上部側のナット１８と下部側の袋ナット１９とで穿孔部を締付固定し、該ボルト１５の上端に固定ナット９を固着させた。
【００２３】
前記固定ナット９は、前記締付ボルト６の段付内面形状の中間狭隘部６ｂの内径より大きな外径を有すると共に、前記下部開口部６ｃ内に遊挿可能であり、筒状の締付ボルト６の上部開口部６ａよりワッシャ１０を介して固定ボルト８を挿入し、前記下部開口部６ｃ内側に緩衝ゴム１１を介して挿入した固定ナット９と螺合させて中間狭隘部６ｂを上下より締付挟持することによりガラス床１を固定支持するようにした。
【００２４】
尚、前記固定ボルト８の雄ネジ部分と締付ボルト６の中間狭隘部６ｂの内面に設けた雌ねじ部分間には空間部があり、固定ボルト８の雄ネジ部分と締付ボルト６の中間狭隘部６ｂとを螺合させるものではない。
【００２５】
前記ガラス板１は、少なくとも２枚の強化ガラス板をＰＶＢ（ポリビニールブチラール）膜等の中間膜１ｃにて接着した合わせガラスとすると好ましい。また、２枚のガラス板とした時、上部側ガラス板１ａの穿孔部の皿孔部を２ａとし、貫通孔部分の内径が下部側ガラス板１ｂの穿孔部の内径より小さな径として、上部側ガラス板１ａの穿孔部を小径孔部２ｂ、下部側ガラス板１ｂの穿孔部を大径孔部２ｃとした。
【００２６】
前記小径孔部２ｂと大径孔部２ｃは、本来同一の径とすべき処であるが、２枚のガラス板の穿孔位置ズレを完全に防止することは極めて困難であるため、若干の穿孔位置ズレがあったとしても締付ボルトを挿入できるように各穿孔部の孔径を大小とするものである。
【００２７】
前記ガラス板１の穿孔部２内にはアルミニウム製の介装材（スペーサ）３を介して締付ボルト６を挿入するが、前記介装材３は、ガラス板１の穿孔部２と筒状の締付ボルト６間に前記皿孔部２ａの形状に合わせて設け、締付ボルト６の筒状部の上部開口部６ａの内側と固定ボルト８間にはシリコーンからなるシール材１２を充填した。
【００２８】
特に、ガラス板１が２枚のガラスからなる合わせガラス板の場合には、上部側ガラス板１ａの皿孔部２ａと小径孔部２ｂの部分に介装材３を設け、下部側ガラス板１ｂの穿孔部である大径孔部２ｃの内側には介装材３を設けない。これは、上部側ガラス板１ａの小径孔部２ｂと、下部側ガラス板１ｂの大径孔部２ｃとはそれぞれ内径が異なっているためである。
【００２９】
図３は、ガラス板１と、その穿孔部２、介装材３、締付ボルト６、シール材１２、固定ボルト８を上面から見た平面図であり、図１に示したように、ガラス板１の上部面、締付ボルト６の頭部、固定ボルト８の頭部は同一フラット面となるようにした。
【００３０】
尚、図３に示したように、前記固定ボルト８の頭部のフラット面には、固定ボルト８の締付用および着脱用の凹溝部８ａ、８ａを少なくとも２個設けた。該凹溝部８ａ、８ａ内に着脱補助具３０の爪部を嵌着させて固定ボルト８の着脱を行なう。
【００３１】
また、図４の平面図、図５の側面図に示したように、ガラス板１、１、・・が隣接していない側のコーナー部においては、支柱２０の上端の連結プレート１６に示すように連結プレート１６上にはガラス板１の穿孔部２を支持する支持部材５の取付位置は１箇所だけとなる。
【００３２】
また、ガラス板が隣接する側のコーナー部においては、連結プレート１６'に示すように連結プレート１６'は２枚のガラス板１の隣接する穿孔部２に跨るように前記支持部材５の取付位置が２箇所となり、連結プレート１６'は横長であり、支持柱２０の位置は連結プレート１６'の中心部位置に設けられる。
【００３３】
さらに、図６に示したように、４枚のガラス板の隅部の穿孔部が互いに隣接し、向き合うような位置においては、連結プレート１６"の形状を略Ｈ字状、またはＸ字状、又は四角形状とし、各ガラス板の隅部の穿孔部２を支持する支持部材５の取付位置は４箇所となり、支持柱２０の位置は連結プレート１６"の中心部位置に設けられる。尚、隣接するガラス板１、１間の目地部４２にはシリコーン等の構造用シーリング材が充填される。
【００３４】
本発明はまた、前記筒状の締付ボルト６内の狭隘部６ｂを上下より締付挟持する固定ボルト８を支柱２０の上端に設けた連結プレート１６に螺着したボルト１５の上端に固定した固定ナット９から切り離し、別途用意した吊下げ補助具４０の先端ボルト部４０ａを前記各締付ボルト６の筒状部の中間狭隘部６ｂと螺着させ、ガラス床１の四隅に取り付けた吊下げ補助具４０、４０、・・を掴んで持上げることによってガラス板１を床面との固定から着脱することが可能となる。
【００３５】
前記支持構造によって支持されたガラス床の着脱交換方法について説明する。
まず、図７（ａ）は、図４に示した一列に並設されたガラス板の支持構造の実施例の側断面図であるが、構造躯体４１上に立設した支柱２０、２０、・・の上端に固着した連結プレート１６、１６、・・に螺着した支持部材５、５、・・によって、２枚のガラス板を中間膜によって接着してなるガラス板１の四隅に設けた穿孔部２、２、・・を螺着して支持し、ガラス板１は床レベルで水平に載置固定されている。
【００３６】
また、図７（ｂ）は、図７（ａ）のガラス板の穿孔部に螺着した支持部材５、５、・・縦断面図であり、詳細な支持構造は、既に説明した図１と同様である。
【００３７】
ガラス板１の取り外し交換を行なうに先立って、まず、取り外すガラス板１の四辺周囲の目地部４２のシール、およびガラス板１の各穿孔部２に設けた締付ボルト６と固定ボルト８間に充填したシール材１２を除去する。
【００３８】
続いて、固定ボルト８の頭部のフラット面に設けた凹溝部８ａ、８ａ（図３参照）内に、図７（ｃ）の着脱補助具３０の先端ヘッド部の突起部を挿入して嵌合させ、図７（ｃ）の矢印で示した方向に回転させることによって、固定ボルト８を固定ナット９から取り外すことができる。
【００３９】
ガラス板１の四隅の穿孔部２、２、・・について、前記着脱補助具３０によって、４箇所全ての固定ボルト８、８、・・を取り外す。
【００４０】
すべての固定ボルト８を取り外した状態であっても、ガラス板１の穿孔部２には、締付ボルト６と締付ナット７が螺合された状態であり、支柱２０に固定された固定ナット９が締付ボルト６の下部開口部６ｃ内にあって狭隘部６ｂの下面に当接状態で支持しているので、ガラス板１は固定ナット８を介して支柱２０に支持された状態であり、落下することがない。
【００４１】
続いて、図８（ａ）に示したように、ガラス板１の四隅の各穿孔部２に螺着している締付ボルト６の内面の狭隘部６ｂのすべてに、図８（ｂ）に示したように、吊下げ補助具４０の取っ手部４０ｂを作業者Ｍによって持上げ上昇させると、ガラス板１を容易に取り外すことができる。
【００４２】
尚、前記締付ボルト６の中間狭隘部６ｂの内面に設けた雌ねじ部分は、吊下げ補助具４０のボルト部４０ａを螺着させるために設けたものである。
【００４３】
また、前記吊下げ補助具４０は、上部側に作業者Ｍが把持可能な取っ手部４０ｂと、該取っ手部４０ｂから下部側に向けて延ばしたボルト部４０ａとからなり、該ボルト部４０ａをガラス板１の四隅のそれぞれの締付ボルト６の筒状部の中間狭隘部６ｂと螺合させることによってガラス板１を吊下げ持上げることができるものである。
【００４４】
ガラス板１を床面に取り付ける時は、前記の取外し時とは逆の手順で行なえばよい。すなわち、図８（ｂ）のようにして、吊下げ補助具４０をガラス板１の穿孔部２に取り付けた締付ボルト６に螺着させ、複数名の作業者Ｍによってガラス板１を所定の取付場所に載置し、各穿孔部２、２、・・と固定ナット９、９、・・とを一致させる。
【００４５】
図８（ａ）の矢印とは逆の方向に、吊下げ補助具４０を回転させて吊下げ補助具４０を穿孔部２から取外す。
【００４６】
図７（ｃ）に示すように、固定ボルト８を締付ボルト６内に遊挿させて固定ナット９と螺合させるが、着脱補助具３０によって固定ボルト８を固定ナット９に強固に締め付けて、図７（ｂ）の状態とさせる。
【００４７】
前記上側ガラス１ａの穿孔部２の皿孔部２ａの皿面に内接させる介装材３としては、アルミニウムや錫合金等の金属製として、前記皿孔部２ａに合わせた形状とした。
【００４８】
前記介装材３をアルミニウムや錫合金等の金属製としたのは、水平姿勢のガラス板１の穿孔部の皿孔部２ａに介装材３を配設して、締付ボルト６と締付ナット７との螺合によりガラス板１の穿孔部２を締め付けた状態で、ガラス板面上の歩行により締付ボルト部分にスポット的に大きな荷重が加わる可能性があり、樹脂製とした場合には破損する恐れがあるためである。
【００４９】
さらに、緩衝材４、緩衝ゴム１１としては、ＥＰＤＭ製、ネオプレンゴム、シリコンゴム、バイトンゴム、ウレタンゴム等の耐候性、耐湿性の良い弾性体とした。
【００５０】
また、締付ボルト６、締付ナット７、ワッシャ１０、固定ボルト８、固定ナット９、および連結プレート１６、支柱２０等はＳＵＳ等の錆びない金属が望ましいが、防錆塗装処理やメッキ等の処理をしたＳＳ材でも良い。
【００５１】
尚、ガラス板１は、少なくとも２枚のガラス板をＰＶＢやＥＶＡ等の中間膜または樹脂注入で接着して合わせガラスとし、各ガラス板は強化ガラスとし、ガラス床として充分強度のある厚みのものとした。
【００５２】
以上好適な実施例について述べたが、本発明はこれに限定されるものではなく種々の応用が考えられるものである。
【図面の簡単な説明】
【００５３】
【図１】本発明のガラス床の支持構造の断面図。
【図２】ガラス床の穿孔部と着脱冶具との螺合状態を示す縦断面図。
【図３】ガラス床の穿孔部の平面図。
【図４】ガラス板を１列に配置したガラス床の平面図。
【図５】本発明のガラス床の支持構造の縦断面図。
【図６】ガラス板を２次元的に配列したガラス床の平面図。
【図７】ガラス板の着脱手順（ａ）〜（ｃ）を示す支持構造の縦断面図。
【図８】ガラス板の着脱手順（ａ）、（ｂ）を示す支持構造の縦断面図。
【符号の説明】
【００５４】
１              ガラス板
１ａ            上部側ガラス板
１ｂ            下部側ガラス板
１ｃ            中間膜
２              穿孔部
２ａ            皿孔部
２ｂ            小径孔部
２ｃ            大径孔部
３              介装材（スペーサ）
４              緩衝材
５              支持部材
６              締付ボルト
６ａ            上部開口部
６ｂ            狭隘部
６ｃ            下部開口部
７              締付ナット
８              固定ボルト
８ａ            凹溝部
９              固定ナット
１０              ワッシャ
１１              緩衝ゴム
１２              シール材
１５              ボルト
１６              連結プレート
１７              ワッシャ
１８              ナット
１９              袋ナット
２０              支柱
３０              着脱補助具
４０              吊下げ補助具
４０ａ            ボルト部
４０ｂ            取っ手部
【図１】
0004545661.tif 000002
【図２】
0004545661.tif 000003
【図３】
0004545661.tif 000004
【図４】
0004545661.tif 000005
【図５】
0004545661.tif 000006
【図６】
0004545661.tif 000007
【図７】
0004545661.tif 000008
【図８】
0004545661.tif 000009